(57)【特許請求の範囲】
【請求項１】
電動送風機と集塵部とを有する掃除機本体と、該掃除機本体に接続されたホースと、該
ホースに接続され前記集塵部と連通すると共に、内部に回転清掃体を駆動する電動機を備
えた吸口体とを有し、
前記掃除機本体には、前記吸口体の電動機の電流を検出する電流検出手段と、前記電動
送風機及び前記電動機へ供給する電力を制御する制御手段とを有し、
前記吸口体には、前記電動機の電圧を検知する電圧検出手段と、該電圧検出手段の検出
値を比較する電圧比較手段と、該電圧比較手段に応じて前記電動機の出力を表示する表示
手段と設けたことを特徴とする電気掃除機。
【請求項２】
請求項１において、
前記制御手段は、前記電動送風機と前記電動機を連動して制御し、前記表示手段には前
記電動送風機と前記電動機の出力を表示することを特徴とする電気掃除機。
【請求項３】
請求項１又は２において、
前記表示手段は前記吸口体の凸状部の頂点から後方側に傾斜した位置に配置したことを
特徴とする電気掃除機。
【請求項４】
請求項１乃至３のいずれかにおいて、
前記表示手段は、発光素子と、該発光素子の導く導光管とにより構成されていることを
特徴とする電気掃除機。
【請求項５】
請求項４において
前記発光素子は吸口体の長手方向の左右に配置し、照射方向を中心側から外側へ向けた
ことを特徴とする電気掃除機。
【発明の詳細な説明】
【技術分野】
【０００１】
本発明は電気掃除機に関する。
【背景技術】
【０００２】
従来の電気掃除機として、例えば特許文献１（特許３７２０２２８号公報）がある。掃
除機本体内の電動送風機を制御する制御装置が設けられ、掃除機本体の上面に二つの発光
ダイオードを配置し、一つの発光ダイオードは電動送風機の動作が自動的に一時的に停止
されたときに発光し、他の発光ダイオードは被掃除面がじゅうたんのときに発光するよう
になっている。
【０００３】
また、特許文献２（特許３４５１８９６号公報）には、電動送風機を内蔵する掃除機本
体と、該掃除機本体に設けられ、前記電動送風機を制御する制御部品を有する制御基板と
、掃除機本体の表面上に設けられた表示手段とを有し、前記制御基板には発光手段が設け
られている。発光手段には、複数個の発光ダイオードが配設されている。この発光ダイオ
ードのうち、集塵フィルターの目詰まり状態を段階的に表示するインジケータに用いるも
の、集塵フィルターの交換時期を表示するダストサインに用いるものと、電動送風機の運
転状態を段階的に表示するパワーサインに用いるものがある。
【０００４】
また、吸口体に表示手段を設けたものついては、例えば特許文献３（特開平５−１６１
５７９号公報）が挙げられる。特許文献３には、段階的に点灯して本体モータの出力レベ
ルを示す複数個の表示ランプを吸口体上に設けたものがある。この構成は、本体から吸口
に至る電源供給手段と、前記モータの出力を制御する制御回路と、前記制御回路の出力信
号に基づいた光信号を発光させる発光素子と、延長パイプ内に設けられた前記光信号を直
進させるための光信号通路と、前記発光素子からの光信号を受光する受光素子と、受光素
子により受光された信号に基づいて前記複数の表示ランプを駆動する手段を有している。
【０００５】
【特許文献１】特許３７２０２２８号公報
【特許文献２】特許３４５１８９６号公報
【特許文献３】特開平５−１６１５７９号公報
【発明の開示】
【発明が解決しようとする課題】
【０００６】
特許文献１及び２では、被掃除面に応じて本体及び吸口体の運転状態が制御されても、
操作者は本体を見ながら掃除することはないので、どのような運転状態に制御されている
のかがわかりにくく、表示も見ないので、使いづらいという問題があった。
【０００７】
特許文献３では、吸口本体に本体モータの出力レベルを段階的に点灯して示す複数個の
表示ランプを設けたものがあるが、この場合、モータの出力信号を発光素子で光信号に変
換して、延長パイプ内に設けた光信号通路を通って受光素子に送られるように構成されて
いる。延長パイプの接続部に従来必要であった、出力信号の送信のための信号線が不要と
なるが、ホースと手元操作部までは、出力信号の送信用の信号線が必要となるので、使用
者からすると重たくなる方向であった。また、延長パイプに光信号通路を形成するために
、延長パイプが太くなるなどして、重なり、使いにくいという問題があった。
【０００８】
本発明の目的は上記課題を解決し、操作性を損なうことなく掃除機の運転状況の視認性
に優れた電気掃除機を提供することにある。
【課題を解決するための手段】
【０００９】
上記目的を達成するために本発明の特徴とするところは、電動送風機と集塵部とを有す
る掃除機本体と、該掃除機本体に接続されたホースと、該ホースに接続され前記集塵部と
連通すると共に、内部に回転清掃体を駆動する電動機を備えた吸口体とを有し、前記掃除
機本体には、前記吸口体の電動機の電流を検出する電流検出手段と、前記電動送風機及び
前記電動機へ供給する電力を制御する制御手段とを有し、前記吸口体には、前記電動機の
電圧を検知する電圧検出手段と、該電圧検出手段の検出値を比較する電圧比較手段と、該
電圧比較手段に応じて前記電動機の出力を表示する表示手段と設けたことにある。
【発明の効果】
【００１０】
本発明によれば、本体からの出力信号を送信するための信号線をホース，延長管に設け
る必要がないので、操作性を損なうことなく掃除機の運転状況の視認性に優れた電気掃除
機を提供することができる。
【発明を実施するための最良の形態】
【００１１】
以下、本発明に係る実施例を添付の図面を用いて説明する。
【実施例１】
【００１２】
本発明の一実施例に係る吸口体の構成を図１から図３を用いて説明する。
【００１３】
図１に本発明の一実施例に係る吸口体の分解斜視図と、図２に上ケースを取り除いた平
面図を示す。１００は上ケース、１０１は下ケースであり、吸口本体１５０を形成してい
る。１１８は下ケース１０１に設けられた床面開口部で、被掃除面に面する。１１９はバ
ンパー、１０４は回転清掃体、１０５は回転清掃体１０４を駆動するための電動機、１０
７は吸口体を持ち上げたときに自動的に回転停止するための安全スイッチ、１０８は電動
機側プーリー、１０９は減速プーリーを構成する大プーリー、１１０は減速プーリーを構
成する小プーリー、１１１は大プーリー１０９と小プーリー１１０を連結するシャフトで
ある。
【００１４】
本実施例ではシャフト１１１に設けた大プーリー１０９及び小プーリー１１０により、
回転清掃体１０４の回転軸端部に伝達する伝達機構を構成している。
【００１５】
吸口体２０６には、被掃除面に応じて、吸口本体の電動機１０５と本体の電動送風機の
入力を連動して制御し、段階的に点灯して示す表示手段１３０を設置しており、その設定
状態を色を発光して可変させてお知らせするようになっている。
【００１６】
表示手段１３０は、発光ダイオード１２４，１２５と導光管１２６，１２７とにより構
成している。
【００１７】
１２２は電動機１０５の駆動を制御する回路基板、吸口体２０６の下ケース上面略中央
部には、本体および吸口体の運転状態を段階的に照射する発光ダイオード１２４，１２５
（発光素子）が設けられ、発光ダイオード１２４，１２５の照射を中心側から外側へ向け
て配置し、その前方に導光管１２６，１２７を配設している。１２３は発光ダイオード１
２４，１２５を照射するための駆動回路基板である。発光ダイオード１２４，１２５は、
発光色が異なる２つのダイオードで構成され、本実施例では、赤色１２４ａ，１２５ａと
緑色１２４ｂ，１２５ｂの組合せとしている。導光管１２６，１２７が上ケース１００の
表示手段１３０に設置される。
【００１８】
図３に本発明の一実施例に係る電気掃除機の外観図を示す。２０１は後部に吸口体２０
６が集塵するのに必要な吸気風を発生させる電動送風機（図示せず）を内蔵し、前部には
塵埃を集塵する集塵室（図示せず）を内蔵した電気掃除機本体、２０２は電気掃除機本体
２０１に接続され、柔軟に可動するように形成されたホース、２０３は前記ホース２０２
に接続されて前記電気掃除機本体２０１や吸口体２０６を制御するスイッチ操作部２０４
を内蔵し、ホース２０２と延長管２０５と連通する流路（図示せず）を持つ手元操作部で
ある。また、ホース２０２と手元操作部２０３及び延長管２０５には、吸口体２０６に電
気を供給する給電線（図示せず）が内蔵されている。
【００１９】
電気掃除機本体２０１の内部には、電動送風機の入力と吸口体の駆動電動機１０５の入
力を制御する制御基板２５０（図４）が収納されている。
【００２０】
吸口本体１５０の後方には、左右（幅）方向の中央部に位置して自在継手部１６０が設
けられている。この自在継手部１６０は、一端が吸口本体１５０に回動可能に接続され、
被掃除面に対して略水平な状態から略垂直な状態まで回動可能な第１の接続管１０２と、
一端が第１の接続管１０２の他端に回動可能に接続され、吸口本体１５０に対し左右方向
に回動可能な第２の接続管１０３を有する。第２の接続管１０３の他端には延長管２０５
が接続される。この自在継手部１６０は、延長管２０５を被掃除面に対して略垂直とした
状態において、その延長管２０５を吸口本体１５０の左右方向に向かって倒すことができ
る機能を有している。このため、手元操作部２０３左右方向の何れかに捻ることで、吸口
本体１５０を左右方向の何れかに略９０度回転させ、吸口本体１５０の左右方向を移動方
向にした掃除が可能であり、壁際に沿って吸口体２０６を移動させたり、狭い隙間に吸口
体２０６を挿入して掃除することが可能となっている。
【００２１】
図１において、回転清掃体１０４の回転軸に沿う方向を吸口本体の左右方向と呼び、こ
の左右方向は通常吸口体の長手方向と一致する。また、吸口本体の上下方向に関しては、
吸口本体１５０を水平な床面上に置いた状態で、開口部１１８が形成された側を下面側、
反対側を上面側と呼ぶ。
【００２２】
また、使用者から見て、使用者が手元操作部２０３を握って吸口体２０６を押す方向を
前側（前方）、吸口体２０６を使用者側へ引き寄せる方向を後側（後方）と定義する。
【００２３】
図４に電気掃除機用制御回路の構成を示す。
【００２４】
掃除機本体２０１の制御基板２５０と吸口体２０６の制御基板１２２とは、ホース２０２，手元操作部２０４、及び延長管２０５に這わされた二本の給電線５０で接続されている。
【００２５】
５１は掃除機本体２０１に内蔵された電動送風機の電動機である。掃除機本体２０１の制御基板２５０は、回転清掃体１０４を駆動する電動機１０５の負荷電流を検出する電流検出手段３０と、電動送風機と吸口体２０６の電動機１０５の入力を調整する制御手段としてのマイコン３１と、電動送風機の電動機５１の駆動回路４０と、電動機５１を駆動するトライアック３２等の半導体スイッチング素子と、回転清掃体１０４を駆動する電動機１０５の駆動回路４１と、電動機１０５を駆動するトライアック３３等の半導体スイッチング素子とを備えている。
【００２６】
電動送風機の電動機５１及び回転清掃体１０４を駆動する電動機１０５は、整流子電動機が用いられる。また、整流子電動機に代えてブラシレスモータを用いることも可能である。電動送風機の電動機５１及び回転清掃体１０４を駆動する電動機１０５は、速度制御により運転モードの切り替えが行われる。速度制御は、位相制御を行い電動送風機の電動機５１及び回転清掃体１０４を駆動する電動機１０５に供給される交流電力の位相時間幅を変えることにより行われる。
【００２７】
駆動回路４０，４１がトライアック３２，３３の通電位相時間幅を調整することにより、電動送風機の電動機５１及び回転清掃体１０４を駆動する電動機１０５は種々の運転モードの速度で回転する。
【００２８】
一方、吸口体２０６の制御基板１２２は、本体から供給された交流電力を直流に変換する整流手段５２と、整流手段５２からの直流を所定の電圧に分圧する分圧手段５３と、分圧手段５３で分圧された脈流のある直流から矩形波信号を生成する矩形波整形手段５４と、矩形波整形手段５４で生成された矩形波信号の位相時間幅の違いから電圧を検出する電圧検出手段１０と、電圧検出手段１０で検出された電圧と予め定められた電圧のしきい値とを比較する電圧比較手段２１とを備えている。さらに制御基板１２２には、整流手段５２で整流された脈流のある直流を直流定電圧に変換してＬＥＤ駆動手段２２（２２ａ，２２ｂ）に駆動電力を供給する定電圧電源手段２０と、ＬＥＤ駆動手段２２（２２ａ，２２ｂ）により駆動される発光ダイオード１２４（１２４ａ，１２４ｂ）及び発光ダイオード（１２５ａ，１２５ｂ）が備えられている。また、電圧比較手段２１は電圧の比較結果に応じてＬＥＤ駆動手段２２（２２ａ，２２ｂ）を制御する。
【００２９】
吸口体２０６を動作させると、被掃除面に応じて、吸口体２０６の電動機１０５の電流
値が変動する。変動した電流の大きさを掃除機本体の電流検出手段３０により検出し、大
きさに準じて、掃除機本体２０１の電動送風機の入力と吸口体２０６の電動機１０５の入
力を連動させて制御する。その制御を３段階に設定し、段階毎に吸口体２０６に設けた表
示手段１３０の発光色を可変する構成となっている。本実施例では、表示手段１３０の連
動して制御させた電動送風機の出力と電動機１０５の出力を表示するようにしているが、
どちらか一方の出力を表示するようにしてもよい。例えば、電動機１０５の出力のみを表
示するようにしても良い。
【００３０】
本実施例の電気掃除機は、掃除機本体２０１からホース２０２及び延長管２０５に配置された給電線４００を介して吸口体２０６の電動機１０５に電力を供給している。このため、吸口本体１５０の電動機１０５の電流値は、掃除機本体２０１と吸口体２０６とを繋ぐ給電線５０の電流値を検出することにより把握することができるので、掃除機本体２０１に配置された電流検出手段３０で吸口本体１５０の電動機１０５の電流値を検出することができる。
【００３１】
次に図７及び図８を用いて吸口体２０６の制御基板１２２の動作を説明する。図７は電圧のしきい値と発光ダイオードの点灯との関係を示す図であり、図８は吸口本体１５０の電動機１０５に供給される位相時間幅の異なる交流電力波形と、矩形波整形手段５４で生成される矩形波信号の関係を示す図である。
【００３２】
図８において、上側の波形は吸口本体１５０の電動機１０５に供給される位相時間幅の異なる交流電力の波形３０１，３０２，３０３であり、下側の信号は矩形波整形手段５４で生成された矩形波信号４０１，４０２，４０３である。
【００３３】
波形３０１は１００％通電の位相時間（長い）、波形３０２は７０％通電の位相時間（中）、波形３０３は６０％通電の位相時間（短い）となっている。吸口本体１５０の電動機１０５に供給される波形３０１，３０２，３０３は整流手段５２で整流され、脈流のある直流に変換され、分圧手段５３で分圧されたのち、矩形波整形手段５４に入力される。矩形波整形手段５４では、波形３０１，３０２，３０３に応じた矩形波信号４０１，４０２，４０３を生成する。この矩形波信号４０１，４０２，４０３はそれぞれ時間幅が異なっている。電圧検出手段１０は矩形波信号の時間幅に応じた電圧を検出し、検出値を電圧比較手段２１へ送信する。電圧比較手段２１では電圧に応じてしきい値が設定されており、このしきい値と検出された電圧値とを比較する。図７に電圧のしきい値と発光ダイオードの点灯との関係について説明する。電圧比較手段２１には予め複数のしきい値が設定されている。本実施例の場合はしきい値Ａとこれより低いしきい値Ｂの２つが設定されている。電圧検出手段１０で検出される電圧値が（１）の場合、電圧値（１）はしきい値Ａより高いので、電圧比較手段２１はＬＥＤ駆動手段２２ａを駆動させ、発光ダイオード１２４ａ，１２５ａを点灯させる。次に電圧検出手段１０で検出される電圧値が（３）の場合、電圧値（３）はしきい値Ｂより低いので、電圧比較手段２１はＬＥＤ駆動手段２２ａを駆動させず、ＬＥＤ駆動手段２２ｂを駆動させ、発光ダイオード１２４ｂ，１２５ｂを点灯させる。次に、電圧検出手段１０で検出される電圧値が（２）の場合、電圧値（２）はしきい値Ｂより高く、しきい値Ａより低いので、電圧比較手段２１はＬＥＤ駆動手段２２ａ及び２２ｂの両方を駆動させ、発光ダイオード１２４ａ，１２５ａ及び発光ダイオード１２４ｂ，１２５ｂを点灯させる。発光ダイオード１２４ａ，１２５ａに赤色を用い、発光ダイオード１２４ｂ，１２５ｂに緑色を用いた場合、電圧値（１）の場合には赤色の光を放ちし、電圧値（２）の場合には緑色の光を放つ。そして、電圧値（２）の場合には赤色と緑色とが混色し、橙色の光が放たれる。以上構成を本実施例の吸口体２０６に適用した例を以下説明する。
【００３４】
本実施例では、被掃除面が毛足の長いじゅうたんのように吸口本体の電動機１０５の電
流値と変動幅が大きい場合を、「強」モード運転とし、本体の電動送風機と吸口本体の電
動機１０５が最大入力となるように制御し、吸口本体の発光ダイオード１２４ａ，１２５
ａが照射し、導光管１２６，１２７が赤色を表示する。
【００３５】
また、被掃除面が床や畳，フローリングのように吸口本体の電動機１０５の電流値と変
動幅が小さい場合は、電動送風機と吸口本体の電動機１０５を位相制御により入力を制御
し、吸引力を弱めに設定して、「弱」モード運転とし、発光ダイオード１２４ｂ，１２５
ｂが照射し、導光管１２６，１２７が緑色を表示する。
【００３６】
被掃除面が毛足の短いじゅうたんやカーペットのように吸口本体の電動機１０５の電流
値と変動幅が上記の中間の場合を、「中」モード運転とし、発光ダイオード１２４ａ，１
２５ａの赤色と発光ダイオード１２４ｂ，１２５ｂの緑色の二つが照射し、混合色となっ
て導光管１２６，１２７が橙色を表示するように設定している。
【００３７】
次に本実施例の動作を説明する。掃除機使用者が手元操作部２０３に設置されたスイッ
チ操作部２０４を操作すると、操作されたスイッチに従った動作モードで電気掃除機本体
２０１内の電動送風機が運転する。電動送風機によって発生した吸引力は、ホース２０２
，延長管２０５を通って吸口体２０６に到達する。それと同時に、ホース２０２および延
長管２０５に設けられた電源線から供給された電源が、回路基板１２２を介して電動機１
０５を駆動する。
【００３８】
電動機１０５とプーリ，ベルトで連結している回転清掃体１０４が回転することにより
、回転清掃体１０４の清掃部材である刷毛やブレードによって被掃除面からごみや塵埃を
掻き出して吸い込んでいる。
【００３９】
スイッチ操作部２０４の自動運転モードを押し、吸口体２０６を被掃除面において前後
方向に操作すると、吸口本体の電動機１０５の電流値が変動する。変動した電流の大きさ
を掃除機本体２０１の電流検出手段３０により検出し、例えば、毛足の長いじゅうたんで
は、吸口本体の電動機１０５の電流値と変動幅が大きいため、制御手段３１により、「強
」モード運転と判断し、トライアック３２とトライアック３３の位相制御を行って本体の
電動送風機と吸口本体の電動機１０５が最大入力となるように設定する。吸口体２０６で
は、掃除機本体から供給された電源電圧を検出するモータ印加電圧検出手段１０により、
本体からの制御情報をモータ印加電圧比較手段２１で判別し、それに準じてＬＥＤ駆動回
路２２が動作し、表示手段１３０の発光ダイオード１２４ａ，１２５ａが照射し、導光管
１２６，１２７が赤色を表示する。
【００４０】
同様に、被掃除面が床や畳，フローリングの場合や毛足の短いじゅうたんやカーペット
の場合においても、電流の大きさに準じて、掃除機本体２０１の電動送風機の入力と吸口
本体の電動機１０５の入力を連動させて制御し、段階毎に吸口体２０６に設けた表示手段
１３０の発光色を可変する構成となっている。
【００４１】
以上のように、従来必要であった本体からの出力信号を送信するための信号線が不要と
なるので、ホース，延長管を太くしたり、重くすることがない。既存のホース，延長管が
そのまま使用できるので、使い勝手を損なう心配がない。その結果、電気掃除機の製造コ
ストが低減できる。
【００４２】
また、上記制御手段によれば、回転清掃体の電流を監視しているため、過負荷判定を行
うことができるので、吸口本体のポジスタが不要となり、コスト低減が図れ、同時に不良
低減につながる。
【００４３】
次に掃除効率について述べる。上記のように、被掃除面が毛足の長いじゅうたん等では
、吸引力が強い程吸込性能が向上するので、吸引力は最大で運転し、かつ、負荷抵抗に打
ち勝つように、吸口体の回転ブラシの入力も最大で運転するように設定しているため、じ
ゅうたんの奥に潜んだ塵まで、しっかり掻き取ることができる。
【００４４】
また、被掃除面が毛足の短いじゅうたんやカーペットでは、従来のように吸引力を最大
で運転すると、じゅうたんと吸口が吸着し過ぎてしまい、摩擦抵抗が増大し、さらに回転
清掃体がじゅうたんの刷毛内部に入り込み過ぎてしまい、回転数が低下し、吸込性能と操
作力を低下させていた。本実施例によれば、本体の吸引力を「中」モード運転に制御する
ので、じゅうたんとの吸着状態を緩和できるので、摩擦抵抗が低減し、回転清掃体の回転
が増加するので、吸込性能を低下させることなく、操作性の改善が図れる。
【００４５】
一方、木床やフローリング上では、回転清掃体の負荷抵抗が小さくなるので高速回転と
なる。従来のように吸口体の回転清掃体の入力を最大で運転すると、例えば砂ごみや小さ
い粒状のごみを吸い込む場合などは、吸口内部に全て吸い込むことができず、前方や左右
方向にはじき飛ばしたりしていた。本実施例によれば、本体の吸込力と回転ブラシの入力
を「弱」モード運転に制御しているので、回転ブラシが必要以上に回転しないので、ごみ
をはじき飛ばすことなく吸引でき、やさしく静かに掃除を行うことができる。
【００４６】
このように、被掃除面に合わせて、掃除機本体の吸引力と吸口本体の回転清掃体の回転
数を制御するため、掃除効率の向上が図れ、消費電力の低減と騒音低減が図れる。
【００４７】
また、設定運転状態に応じて吸口本体の表示部の発光色が可変するので、動作中のモー
ドが確認できるので、操作者の意図にあった運転状態を提供できる。
【実施例２】
【００４８】
図５に本実施例による吸口体２０６の斜視図を示す。上ケース１００は、吸口本体長手
方向にかまぼこ状の膨らみ部１００ａを有した形状になっている。吸口体２０６の略中央
部には、本体および吸口本体の運転状態を段階的に照射する発光ダイオード１２４，１２
５が設けられており、発光素子の照射を中心側から外側へ向けて配置し、その前方に導光
管１２６，１２７を配設している（図１と同じ）。導光管１２６，１２７は中心側から長
手方向端部側へ向けた面発光体で構成されている。上ケース１００が導光管１２６，１２
７と組み合わさることにより、運転状態を表示する表示手段１３０が形成される。表示手
段１３０は、吸口長手方向の左右１３０ａ，１３０ｂに分割され、吸口本体上部で、かま
ぼこ状の膨らみ部１００ａの頂点から後方側に傾斜した位置に配置されている。
【００４９】
図６に操作者の動作を示す。（ａ）は手元操作部２０３に設置されたスイッチ操作部２
０４を操作し、吸口体２０６の長手方向を正面側にして前後方向に操作している一般的に
行われている動作である。被掃除面に合った運転状態を知らせる表示手段１３０が、吸口
本体上部で、かまぼこ状の膨らみ部１００ａ（凸状部）の頂点から後方側に傾斜した位置
に配置されているので、操作者が掃除をしている姿勢のままで視認できる。また、導光管
が面発光のため、表示面積が拡大するので、視認性に優れる。
【００５０】
特に、机やベッドの下を掃除する際には、延長管２０５を略水平状態にするので、運転
状態を知らせる表示手段１３０の視認性が向上する。
【００５１】
（ｂ）は手元操作部２０３をひねり、吸口体２０６を９０度回転させ、吸口体２０６の
短手方向を進行方向としている状態であり、物の陰，物と物の間を掃除する際に行う動作
である。運転状態を表示する表示手段１３０は、吸口長手方向の左右（表示手段１３０ａ
，１３０ｂ）に分割されて配置しているので、操作者が掃除をしている姿勢のままで、表
示手段１３０ａ，１３０ｂのどちらかを容易に視認できる。
【００５２】
このように、吸口本体の進行方向がいずれの状態においても、運転状態を表示する表示
手段１３０が、操作者が掃除をしている姿勢のままで視認することができるので、どのよ
うな運転状態になっているかを確認しながら、操作することができる。すなわち、使い勝
手の良い掃除機を提供することができる。
【００５３】
本実施例では床移動型の掃除機について説明したが、これに限定されるものではなく、
モータ駆動方式の吸口でアップライト式やスティック式の掃除機にも適用できる。
【００５４】
以上説明したように本実施例によれば、本体からの出力信号を送信するための信号線を
、新たにホース，延長管に設ける必要がないので、ホース，延長管を太くしたり、重くす
ることなく、既存のホースがそのまま使用できるので、使い勝手を損なう心配がない。そ
の結果、電気掃除機の製造コストが低減できる。
【００５５】
また、本実施例によれば、被掃除面に応じて、吸口本体の回転清掃体の出力と本体の電
動送風機の出力と連動して最適な運転状態に制御するとともに、設定状態に応じて吸口本
体の表示色を可変することにより、操作者の意図にあった運転状態を提供できる。
【００５６】
また、本実施例によれば、回転清掃体の電流を監視することにより、過負荷判定を行う
ことができるので、吸口のポジスタが不要となり、コスト低減が図れ、同時に不良低減が
図れる。
【００５７】
また、本実施例によれば吸口本体の表示手段の表示部を、吸口本体上部で、前後方向凸
部の頂点から傾斜した後方位置に配置したことにより、操作者が掃除をしている姿勢のま
まで視認できる。
【００５８】
また、本実施例によれば、吸口本体の表示部を長手方向の左右に配置し、発光素子の照
射を中心側から外側へ向けたことにより、吸口本体の長手方向を前後移動に操作した場合
でも、表示部のどちらかが操作者に視認できるので、運転状態を把握することができる。
【図面の簡単な説明】
【００５９】
【図１】本発明の一実施例に係る吸口体の分解斜視図である。
【図２】本発明の一実施例に係る吸口体の平面図である。
【図３】本発明の一実施例に係る電気掃除機の外観図である。
【図４】本発明の一実施例に係る制御回路図である。
【図５】本発明の一実施例に係る吸口体の斜視図である。
【図６】本発明の一実施例に係る操作者の動作状態図である。
【図７】電圧のしきい値と発光ダイオードの点灯との関係を示す図である。
【図８】吸口本体１５０の電動機１０５に供給される位相時間幅の異なる交流電力波形と、矩形波整形手段５４で生成される矩形波信号の関係を示す図である。
【符号の説明】
【００６０】
１０  電圧検出手段
２０  電源手段
２１  電圧比較手段
３０  電流検出手段
１００  上ケース
１０４  回転清掃体
１０５  電動機
１２２  回路基板
１２４，１２５  発光ダイオード
１２６，１２７  導光管
１３０  表示手段
１５０  吸口本体
２０１  掃除機本体
２０３  手元操作部
２０４  スイッチ操作部
２０５  延長管
２０６  吸口体
【図１】
0004431603.tif 000002
【図２】
0004431603.tif 000003
【図３】
0004431603.tif 000004
【図４】
0004431603.tif 000005
【図５】
0004431603.tif 000006
【図６】
0004431603.tif 000007
【図７】
0004431603.tif 000008
【図８】
0004431603.tif 000009